(57)【要約】【課題】ハンドル操作レバーがカム機構により撓むことなく的確に揺動して開閉器類のハンドルに適切な力を加えてハンドルのオン、オフを行うことができる開閉器類のハンドル操作装置を提供する。【解決手段】カム板３を駆動する駆動手段２を組み込んだフレーム１の両側板部１１、１１に脚板部４１、４１の下方を軸支した門形のハンドル操作レバー４を前記カム板３により往復動させて、該ハンドル操作レバー４の頂板部４０に設けたハンドル把持レバー５の先端に設けたハンドル把持部５１に係合させた開閉器類のハンドルをオン、オフ操作する開閉器類のハンドル操作装置において、前記門形のハンドル操作レバー４の両脚板部４１、４１の内面とフレーム１の両側板部１１、１１の外面との間に間隙を形成したうえ両脚板部４１、４１の内面にフレーム１の両側板部１１、１１の外面に接触する突起４１ａをフレーム１とハンドル操作レバー４との軸支部4aの両側に設ける。【選択図】  図３
2008269916.tif 000002
【特許請求の範囲】
【請求項１】
カム板を駆動する駆動手段を組み込んだフレームの両側板部に脚板部の下方を軸支した門形のハンドル操作レバーを前記カム板により往復動させて、該ハンドル操作レバーの頂板部に設けたハンドル把持レバーの先端に設けたハンドル把持部に係合させた開閉器類のハンドルをオン、オフ操作する開閉器類のハンドル操作装置において、前記門形のハンドル操作レバーの両脚板部の内面とフレームの両側板部の外面との間に間隙を形成したうえ両脚板部の内面にフレームの両側板部の外面に接触する突起もしくはフレームの両側板部の外面に両脚板部内面に接触する突起をフレームとハンドル操作レバーとの軸支部の両側に設けたことを特徴とする開閉器類のハンドル操作装置。
【発明の詳細な説明】
【技術分野】
【０００１】
本発明は、配線用遮断器や開閉器等の開閉器類のハンドルをオン、オフ操作するレバーをカム機構を利用して往復動させる開閉器類のハンドル操作装置に関するものである。
【背景技術】
【０００２】
配線用遮断器や開閉器等の開閉器類のハンドルをオン、オフ操作するレバーをカム機構を利用して往復動させる開閉器類のハンドル操作装置としては、特許文献１に示すようにハンドル操作レバーの２枚の軸受板部を正逆回転モータを設置した取付枠に、前記正逆回転モーターで正逆回動するカム板に設けた二股状の押圧部により軸受板部に設けた突片を押圧して、前記ハンドル操作腕を揺動させて、ハンドル操作レバーのハンドル把持部に係合した開閉器類のハンドルをオン、オフするものが知れている。
【０００３】
ところが、前記のような開閉器類のハンドル操作装置は、２枚の軸受板部を取付枠の側板部と当接したものとすると、該軸受板部と側板部との間に錆等が発生した場合に軸受板部が動作不良を起こす問題がある。そこで、軸受板部と側板部との間に隙間を形成して軸受板部と側板部とが接触することなく軸支して錆等の影響を受けることなく軸受板部を動作させるものとしている。
【０００４】
しかしながら、軸受板部と側板部との間に隙間を形成すると、開閉器類のハンドルのオン、オフ操作する正逆回転モーターで正逆回動するカム板に設けた二股状の押圧部が軸受板部に設けた突片を押圧して行うため、軸受板部には捻り方向の力が加わり前記隙間の間で撓み前記ハンドル操作レバーが滑らかに揺動せず開閉器類のハンドルに適切な力を加えることができないという問題がある。
【０００５】
【特許文献１】特開平１１−１１１１４８公報
【発明の開示】
【発明が解決しようとする課題】
【０００６】
本発明は前記のような問題点を解決して、ハンドル操作レバーがカム機構により撓むことなく的確に揺動して開閉器類のハンドルに適切な力を加えてハンドルのオン、オフを行うことができる開閉器類のハンドル操作装置を提供することを目的として完成されたものである。
【課題を解決するための手段】
【０００７】
本発明の開閉器類のハンドル操作装置は、カム板を駆動する駆動手段を組み込んだフレームの両側板部に脚板部の下方を軸支した門形のハンドル操作レバーを前記カム板により往復動させて、該ハンドル操作レバーの頂板部に設けたハンドル把持レバーの先端に設けたハンドル把持部に係合させた開閉器類のハンドルをオン、オフ操作する開閉器類のハンドル操作装置において、前記門形のハンドル操作レバーの両脚板部の内面とフレームの両側板部の外面との間に間隙を形成したうえ両脚板部の内面にフレームの両側板部の外面に接触する突起もしくはフレームの両側板部の外面に両脚板部内面に接触する突起をフレームとハンドル操作レバーとの軸支部の両側に設けたことを特徴とするものである。
【発明の効果】
【０００８】
前記のような本発明は、門形のハンドル操作レバーの両脚板部の内面とフレームの両側板部の外面との間に間隙を形成したうえ両脚板部の内面にフレームの両側板部の外面に接触する突起もしくはフレームの両側板部の外面に両脚板部内面に接触する突起をフレームとハンドル操作レバーとの軸支部の両側に設けたものである。そうすると、ハンドル操作レバーをカム板により往復動させる場合に、両脚板部の内面もしくはフレームの両側板部の外面に設けた突起がフレームの両側板部の外面にもしくは両脚板部の内面に接触したまま揺動するので、ハンドル操作レバーの両脚板部は突起を介してフレームの両側板部の外面に接触するたま該両脚板部はこの両側板部の外面に規制されるので、ハンドル操作レバーがカム板の回動による撚れた力を受けても撓むことなく的確に揺動して開閉器類のハンドルに適切な力を加えて該ハンドルのオン、オフを行うことができるものである。また、突起をフレームとの軸支部の両側に設けたことにより往復どちらの動きに対しても撓むことがない。
【０００９】
また、ハンドル操作レバーの両脚板部の内面とフレームの両側板部の外面との接触が突起であることにより接触抵抗が少なく、また、脚板部は突起と軸支部で側板部に接触しているので、脚板部の他の個所が側板部に接触してこすれることなくスムーズに揺動できるものである。
【発明を実施するための最良の形態】
【００１０】
次に、本発明の好ましい実施の形態を図を参照して説明する。
１はハンドル操作装置の側方に配線用遮断器６や開閉器等の開閉器類を搭載する取付台部１０ａを併設したベース１０に取り付ける断面門形のフレームであり、該フレーム１にはロータリ型ソレノイド、正逆回転モータ等の駆動手段２が組み込こまれているとともに該駆動手段２により駆動するカム板３が設けられている。４は頂板部４０の両側下方に脚板部４１、４１を連設した門形のハンドル操作レバーであり、該門形のハンドル操作レバー４は前記フレーム１の両側板部１１、１１に脚板部４１、４１の下方を軸支部４ａにより軸支している。
【００１１】
そして、該ハンドル操作レバー４は前記駆動手段２により駆動するカム板３により往復動されて該ハンドル操作レバー４の頂板部４０に横方向にスライド自在に設けたハンドル把持レバー５の先端に設けたハンドル把持部５１に係合させた取付台部１０ａに搭載した配線用遮断器６のハンドル６１をオン、オフ操作するものである。
【００１２】
また、前記門形のハンドル操作レバー４の両脚板部４１、４１の内面とフレーム１の両側板部１１、１１の外面との間には間隙を形成したうえ両脚板部４１、４１の内面にフレーム１の両側板部１１、１１の外面に接触する突起４１ａをそれぞれ軸支部４ａの両側に１点ずつ計２点設けてある。
【００１３】
このように両脚板部４１、４１の内面に突起４１ａをそれぞれ２点ずつ設けたことにより、ハンドル操作レバー４をカム板３により往復動させる場合に、両脚板部４１の内面に設けた２点の突起４１ａ、４１ａがフレーム１の両側板部１１、１１の外面に接触した状態で揺動するので、ハンドル操作レバー４の両脚板部４１、４１は突起４１ａを介してフレーム１の両側板部１１、１１の外面に常時接触しているので該両脚板部４１、４１はこの両側板部１１、１１の外面に規制されて、ハンドル操作レバー４がカム板３の回動動作により撓むことないものである。また、突起４１ａを軸支部４ａの両側に設けたことにより押圧部３ａが突片４２を押圧する方向から見た場合、左の脚板部４１の軸支部４ａの両側に設けられた突起４１ａ、４１ａのうち、手前側の突起４１ａ及び、右の脚板部４１の軸支部４ａの両側に設けられた突起４１ａ、４１ａのうち、奥側の突起４１ａが作用し、撓みを防止しており、往復どちらの動きに対しても撓むことがないものである。
【００１４】
また、両脚板部４１、４１の内面とフレーム１の両側板部１１、１１の外面との間には突起４１ａにより接触している個所以外には間隙が残されることとなるので、脚板部４１の内面又は側板部１１の外面に錆等が発生しても該錆等が脚板部４１の内面と側板部１１の外面とを間隙を埋めてまでも連繋する虞がないので脚板部４１の作動が阻害されることがないものである。
【００１５】
さらに、前記したとおり両脚板部４１、４１の内面にフレーム１の両側板部１１、１１の外面との接触が２点であることにより接触抵抗が少なく、また、脚板部４１は該２点の突起４１ａ、４１ａと支軸の３点で側板部１１に接触しているので、脚板部１１の他の個所が側板部１１に接触してこすれることがないので駆動手段２に負荷をかけることなく的確に揺動して配線用遮断器６のハンドル６１に適切な力を加えてハンドルのオン、オフを行うことができるものである。なお、本実施形態では突起をそれぞれ軸支部の両側１点ずつ、計２点設けたものとして説明したが、２点以上あってもよい。また、本実施形態では突起をハンドル操作レバー４の内面に設けたものとして説明したが、フレームの両脚板部１１のハンドル操作レバー４が揺動する範囲内の軸支部の両側に突起を設けてもよい。
【００１６】
なお、前記ハンドル操作レバー４をカム板３により往復動させる具体的手段は、図５、図６及び図７に示すようにロータリ型ソレノイド、正逆回転モータ等の駆動手段２に押圧部３ａ、３ｂを対向して設けた二股状のカム板３を取り付け、該カム板３の押圧部３ａ、３ｂは一方の脚板部４に内向きに折曲して設けた突片４２を正逆に押圧するように臨ませている。すなわち、このカム板３の押圧部３ａ、３ｂの間に突片４２を介在させてその表裏面を駆動手段２の正逆回転により一方の押圧部３ａが正方向に、他方の押圧部３ｂが逆方向に突片４２を押圧するとしている。
【００１７】
また、前記図示の実施形態では、開閉器類としては遮断機構の組み込んだ配線用遮断器を例示したが、遮断機構の無い開閉器であってもよいことは勿論である。
【図面の簡単な説明】
【００１８】
【図１】本発明の実施形態を示す斜視図。
【図２】本発明の実施形態を配線用遮断器を外して示す斜視図。
【図３】本発明の実施形態の要部を示す斜視図。
【図４】本発明の実施形態の要部を示す正面図。
【図５】本発明の実施形態の要部を正面側から示す斜視図。
【図６】本発明の実施形態の要部の作動状態の一例を示す斜視図。
【図７】本発明の実施形態に使用するカム板と駆動手段を示す斜視図。
【図８】本発明の実施形態に使用するハンドル操作レバーをハンドル把持レバー部を外して示す斜視図。
【符号の説明】
【００１９】
１  フレーム
11  側板部
２  駆動手段
３  カム板
４  ハンドル操作レバー
4a  軸支部
40  頂板部
41  脚板部
41a  突起
５  ハンドル把持レバー
51  ハンドル把持部
６  配線用遮断器
61  ハンドル
【図１】
2008269916.tif 000003
【図２】
2008269916.tif 000004
【図３】
2008269916.tif 000005
【図４】
2008269916.tif 000006
【図５】
2008269916.tif 000007
【図６】
2008269916.tif 000008
【図７】
2008269916.tif 000009
【図８】
2008269916.tif 000010